(57)【要約】 【課題】 介助用もしくは自走用車椅子を電動式車椅子に改造することにより、介助者や高齢者、或いは体力などの衰えた人々に小型、軽量で通常の車椅子の操作と何ら変わらず簡単な操作で運行ができる安価で 補修が容易な車椅子用補助動力装置を提供すること。【解決手段】車椅子の前輪の一方を本発明の駆動ユニットと交換することにより、接地面の凸凹などの各条件に影響されることなく、常に接地抵抗を維持することができる。また、車輪の軸にはワンウェイクラッチが装備されていて動力を供給していない時は、通常の操作運行が確保されている様になっている。  本発明の車椅子用補助動力装置は発停スイッチをＯＮ−ＯＦＦする以外、通常の車椅子と変わりなく運用できる。【選択図】  図４
2009172082.tif 000002
【特許請求の範囲】
【請求項１】
車椅子の前輪の１方を本発明の電動駆動ユニットと交換し、さらに電源ユニットと発停のスイッチを取り付けることで完全な対地接触が可能となる。介助者の操作により簡単に補助電動車椅子として走行できる車椅子用補助動力装置。
【請求項２】
電動駆動ユニットに動力を供給していない時、つまり発停スイッチが停止状態の時は、該電動駆動ユニットの車輪ホイ−ルの軸受部にワンウェイクラッチが装着されていて、電動と手動の切り換え操作が無用で介助者、或いは自走者の手動にて通常運行が可能な車椅子用補助動力装置。
【請求項３】
電動駆動ユニットのホルダ−に自走桿を装着する事で、その自走桿の発停スイッチを自走者が操作する事により、介助者に頼ることなく自走できる車椅子用補助動力装置。
【発明の詳細な説明】
【技術分野】
【０００１】
本発明は介助者および車椅子使用者（以下、乗員という）により、容易に操作可能な車椅子用補助動力装置に関するものである。
【背景技術】
【０００２】
高齢化社会の進行する中で障害者ばかりでなく、車椅子を使用する人々は増加している。電動車椅子は介助者や乗員が高齢者や体力、或いは腕力の衰えた人々には望まれる。しかし、電動車椅子は大変高価であり又、通常の車椅子は１０Ｋｇ〜１５Ｋｇ程度のものであるが、電動部分が装着されると３０Ｋｇ〜５０Ｋｇと重く、乗員や介助者にとって取り回しや操作性が悪いのが現状である。
【０００３】
他方電動補助ユニットを後部もしくは前部の車椅子の下面に設置して比較的、安価に電動化する商品も見受けられる。これらの商品は地面の凸凹に順応して接地抵抗を保つのが困難で、平面のコンクリ−トや室内などの床面以外は使用が容易とはいえない。
【発明の開示】
【発明が解決しようとする課題】
【０００４】
本発明は以上のような問題点に鑑みなされたものであり、介助用もしくは自走用の車椅子を電動式車椅子に変更、改造するのに簡単で操作が単純である車椅子用補助動力装置を提供する事を目的とする。
【課題を解決するための手段】
【０００５】
上記課題を解決するため、本発明の車椅子用補助動力装置は、駆動輪の動力として電動機や減速機、ワンウェイクラッチを一体とした駆動ユニットと制御回路を内蔵した電源ユニット及び発停スイッチにて構成される。
【０００６】
駆動ユニットは介助用及び自走用車椅子の一方の前輪に装着されるため、他方の前輪と同程度の高さを保つ大きさとする。
【発明の効果】
【０００７】
本発明の車椅子用補助動力装置を介助用及び自走用車椅子に取り付けて使用すれば、下記の様な効果を奏する事ができる。
車椅子を動力の補助無しで使用する時、従来通りの操作で介助者も乗員も使用できる。装置が小型、軽量で安価、運転がボタン一つのＯＮ−ＯＦＦで簡単、補修が容易であるため、乗員や介助者が手動車椅子で負担が多くなった時、あとから追加するだけで安価で安全な駆動装置が装備される。
【発明を実施するための最良の形態】
【０００８】
本発明の実施の形態を図を用いて詳しく説明する。
図１は本発明の駆動ユニットの正面図（ａ）と側面図（ｂ）であり、図２は本発明の駆動ユニットに取り付けた車輪軸の構造図であり、図３は本発明の駆動ユニットの動作範囲を示した上面図である。  図４は本発明の補助動力装置を取り付けた車椅子の側面図である。さらに図５は本発明の駆動ユニットに自走桿を付加した時の補助動力装置を取り付けた車椅子の側面図である。
【０００９】
これらの図の補助動力装置を取り付けるには図１の駆動ユニットを車椅子に取り付ける。本発明の駆動ユニットを取り付けるには車椅子の前輪の一方を取り外し、その取り外したパイプに駆動ユニットのポ−ル５を挿入し、その後ストッパ−７を固定する。
【００１０】
駆動ユニット図１（ｂ）に示す取り付けポ−ル５は車輪の垂直軸より前方に位置し、その位置は車輪の半径３分の２以上から車輪の半径までの間にずらして取り付ける。  これにより自在キャスタ−として動作し、車椅子としての通常の動作が確保される。
【００１１】
駆動ユニット図２の車輪軸には、ワンウェイクラッチ８が設置され、電動機が停止の時に介助者或いは乗員が操作進行する場合に動力部と切り離され車輪はフリ−の状態となる。
【００１２】
駆動ユニット図１（ａ、ｂ）のストッパ−７は自在キャスタ−の動作をする駆動ユニットが図３に示す如く、車椅子の支柱にストッパ−が当たることにより、角度約２７０度以内の回転範囲に留まり、動力部に供給する電力線のねじれが一定範囲内の発生しかしないことになる。  自在キャスタ−としての移動範囲は前進後進ともに角度４５度は確保されている。
【００１３】
図１の駆動ユニットにおいてホルダ−６に自走桿１１を挿入取り付けることにより、乗員が自走桿発停ボタンを操作し、自走桿の握り部位を左右に動かすことにより自由な方向に自走することができる。
【００１４】
次に電源ユニット９は車椅子の側面、或いは後部の空間に取り付ける。取り付け方法は比較的、小型軽量なのでフックなどでぶら下げる程度でも構わない。
【００１５】
この電源ユニットは直流電源で鉛蓄電池、或いはニッケル水素またはリチュ−ムなどのドライバッテリ−を収納し、充電時に外部入力電源を一定の電流で供給できる様にする制御回路及び電池残量表示回路などを附加して、一体型にした電源ユニットとする。
【００１６】
発停スイッチは介助者用と自走桿にもうけた部分と同一のものであるが、どちらで操作しても、或いは同時に操作しても構わない物である。
【実施例】
【００１７】
次の本発明の実施例を説明する。
図５から判るように本発明の車椅子用補助動力装置を構成する駆動ユニット図１を車椅子に取り付けるために、まず車椅子の前輪の一方を取り外し、該駆動ユニットを取り付ける。
【００１８】
次に車椅子の介助者用取手に発停スイッチ１０を取り付ける。
【００１９】
次に車椅子の側面或いは後部の空間に電源ユニット９の箱を設置する。
【００２０】
図１，電源ユニット９，発停スイッチ１０の設置が終了したら、駆動ユニット図１と発停スイッチ１０より出ているケ−ブルのコネクタ−を電源ユニット９のソケットに挿入する。
【００２１】
上記の様に車椅子用補助動力装置を装備した車椅子において自走を行う場合には自走桿１１を図５の様に駆動ユニットに挿入取り付けて、自走桿１１より出ているコ−ドのコネクタ−を電源ユニット９のソケットに挿入する。
【００２２】
介助者が操作する場合に該補助動力装置を使用しない時、つまり発停スイッチ１０を操作しない時は、通常の車椅子での扱い方と同様である。  該駆動ユニットは車輪の車軸にワンウェイクラッチが装備されているため介助者が前進のため車椅子を押すと駆動軸より切り離されフリ−となる。  また、介助者が前進の位置から後進に移る場合は該駆動ユニットを車椅子に取り付けている取り付け軸が車輪の車軸の垂直上方位置より偏心しているため、自在キャスタ−として動作し、駆動ユニットは後方移動に有利な方向に回転して自由な操作が従来の車椅子の操作と変わりなく行える。
【００２３】
次に介助者が発停スイッチを操作し、動力をＯＮにすると該駆動ユニットのワンウェイクラッチが接続され、動力が車輪に伝達され、介助者の誘導する方向に車椅子を進行させる。
【００２４】
更に乗員が介助者に頼らず、自走をする場合には自走桿１１を取り付けることにより、その自走桿に装備されている発停スイッチ１３を操作する。  方向は自走管１１の握り手部を進行方向に向ける事により、達成できる。
【００２５】
なお、実施例で説明した駆動ユニット図１や自走桿の形状や構造は説明のために模式的に表したものであり、同図に限定するものではない。  特に駆動ユニット図１については左右対称に加工され、車椅子前輪の左右どちらにも取り付け可能な様に制作し、電源ユニットのコントロ−ル方式や電池の充電の方式などは例えば過大トルク（過大電流が流れる）の時は電流制限をし、一定以上の電流が流れない様にまた、充電の時も電池を痛めない様にいたわりのある充電方式を採用し、安全と長寿命の補助動力装置となる様、留意してある。
【図面の簡単な説明】
【００２６】
【図１】駆動ユニットの図である。
【図２】ワンウェイクラッチ取り付け位置の図である。
【図３】駆動ユニット回転とストッパ−の位置の図である。
【図４】車椅子補助動力装置を取り付けた側面図である。
【図５】車椅子補助動力装置と自走桿を取り付けた側面図である。
【符号の説明】
【００２７】
１    電動機
２    減速機
３    車輪
４    フレ−ム
５    取り付けポ−ル
６    ホルダ−
７    ストッパ−
８    ワンウェイクラッチ
９    電源ユニット
１０    発亭スイッチ
１１    自走桿
１２    車椅子本体
１３    自走桿発亭ボタン
【図１】
2009172082.tif 000003
【図２】
2009172082.tif 000004
【図３】
2009172082.tif 000005
【図４】
2009172082.tif 000006
【図５】
2009172082.tif 000007